(57)【要約】【課題】遊技機の部品点数、組立工数、設置工数を低減させるとともに、メダル払出装置の着脱によって損傷を受けにくい筐体構造を提供する。【解決手段】箱状のキャビネット部材２および扉部材からなる筐体の内部にメダル払出装置を備えた箱形遊技機において、キャビネット部材２の内部に金属製のベースプレート５０が設けられる。ベースプレート５０には、底面１３に敷設されて内部底面１３を保護するとともにメダル払出装置を着脱自在に支持する支持板部５１と、支持板部５１に一体に繋がって筐体の外側に延出して配設されたアース接続部５２が形成されている。アース接続部５２は遊技機を遊技島に設置したときに島棚板の外部アース部材に接続され、メダル払出装置がベース部材５０を介して外部アース部材に電気的に接続される。【選択図】  図３
2004283202.tif 000002
【特許請求の範囲】
【請求項１】
前面開口を有して箱状に形成されたキャビネット部材および前記前面開口を開閉可能に取り付けられた扉部材からなる筐体と、前記筐体の内部に配設されて所定の入賞状態に基づいて遊技メダルを払い出すメダル払出装置とを備えた箱形遊技機において、
前記キャビネット部材には、前記キャビネット部材の内部底面に敷設されてこの内部底面を保護するとともに前記メダル払出装置を着脱自在に支持する支持板部と、前記支持板部に一体に繋がって前記筐体の外側に延出して配設され外部アース部材と係脱可能なアース接続部とを有する金属製のベース部材が取り付けられ、
前記アース接続部を前記外部アース部材に接続させることにより、前記メダル払出装置が前記ベース部材を介して前記外部アース部材に電気的に接続されることを特徴とする箱形遊技機の筐体構造。
【請求項２】
前記アース接続部は前記支持板部の端部が前記キャビネット部材の外部底面に沿って折り曲げられて形成され、
前記外部アース部材は遊技施設における遊技島の島棚板に張り渡された金属製の保護部材であり、
前記箱形遊技機を前記遊技島に設置したときに前記アース接続部が前記保護部材に電気的に接続されることを特徴とする請求項１に記載の箱形遊技機の筐体構造。
【請求項３】
前記支持板部には前記メダル払出装置をスライド移動可能に案内するガイドレール部を備え、
前記ガイドレール部が前記支持板部を切り起こし成形することにより前記ベース部材に一体に形成されていることを特徴とする請求項１または請求項２に記載の箱形遊技機の筐体構造。
【請求項４】
前記支持板部には基板を支持する基板支持部を有し、前記基板を前記基板支持部に取り付けたときに前記基板のアース回路が前記ベース部材に電気的に接続されることを特徴とする請求項１〜請求項３に記載の箱形遊技機の筐体構造。
【請求項５】
前記支持板部に基板の周囲を取り囲む基板ケース部が形成されていることを特徴とする請求項１〜請求項４に記載の箱形遊技機の筐体構造。
【発明の詳細な説明】
【０００１】
【発明の属する技術分野】
本発明は、箱状に形成されたキャビネット部材およびキャビネット部材に開閉可能に取り付けられた扉部材からなる筐体と、この筐体の内部に取り付けられたメダル払出装置とを備える箱形遊技機に関し、なお詳細には上記筐体の内部にメダル払出装置を着脱自在に支持する箱形遊技機の筐体構造に関する。
【０００２】
【従来の技術】
上記のような筐体を備える箱形遊技機の代表例としてスロットマシンがある。スロットマシンは、前面開口を有して略矩形の箱状に形成されたキャビネットボックスと、このキャビネットボックスに横開き開閉可能に取り付けられて常には前面開口を塞いで閉鎖施錠される前面扉とからなる筐体を有し、この筐体の各部に、スタートレバーや停止ボタン等の操作装置、リール装置（回胴装置）、メダル払出装置、電源基板、各種制御基板などの遊技展開装置が取り付けられて構成されている。
【０００３】
筐体の基本構成部材であるキャビネットボックスは、装置重量の軽量化や部材コストの低廉性、部材加工の容易性等の見地から、一般にパーチクルボードや積層合板等の木材パネルが用いられており、定型板材を所定形状に切断およびルータ加工し、メタルブッシュ（鬼目ナット）の打ち込み等を行って天板、左右の側板、底板等を形成したうえ、これらを箱状に組み立てて製作されている（例えば、特許文献１を参照）。キャビネットボックスの内部には、左右の側板を結んで張り渡された中段の棚板にリール装置が取り付けられ、底板にメダル払出装置や電源基板が取り付けられている。
【０００４】
メダル払出装置は、遊技メダルを補給する補給作業等のため前面扉を開放して日常的に出し入れされる。また、メダル払出装置は機構メカニズムの複雑さから稀に故障を生じることもあり、トラブル発生時にはメダル払出装置の交換作業が行われる。このため、キャビネットボックスの底板上面には、メダル払出装置の出し入れ作業で前面開口の開口縁部および前方の支持面が損傷を受けないように、開口前縁に沿って帯板状の保護板が張られ、保護板の後方にはメダル払出装置の左右の脚部を支持して支持面の摩滅を防止するとともに、メダル払出装置を前後方向にスライド移動可能に案内する右ガイドレールおよび左ガイドレールが後方に延びて取り付けられていた。
【０００５】
また、キャビネットボックスの底面奥部には、電源基板が金属製の基板ケースに収容されて取り付けられており、電源基板のアース回路と基板ケースとが電気的に接続され、この電源基板のアース回路または基板ケースと各遊技展開装置とがアース線やアース板金等を用いて電気的に接続されている。そしてスロットマシンを遊技施設の遊技島に設置したときに、アース線の一端を基板ケースの背面側に設けられたマシン側アース端子に接続し、他端を遊技島の島側アース端子に接続することで電源基板やこれに接続された遊技展開装置が接地されるように構成されていた。
【０００６】
【特許文献１】
特願２００１−３８５６０８号
【０００７】
【発明が解決しようとする課題】
しかしながら、上記のような従来の筐体構造では、保護板、右ガイドレール、左ガイドレール、基板ケース等をそれぞれ個別に製作して各部材をキャビネットボックスにネジ固定する構成であったため、キャビネットボックスに多数のメタルブッシュを打ち込まなければならいうえ、部品点数が多く組み立て工数が多大であるという問題があった。
【０００８】
また、スロットマシンを遊技島に設置する際に、マシン本体を島棚板に固定する作業の他に、アース線を張り巡らして遊技機側および島側アース端子に接続する作業が必要なため、機体の設置作業が繁雑であるという問題や、固定作業に追われてアース配線を行わないと各遊技展開装置が電気的に浮いてしまい遊技機の作動が不安定になるおそれがあるという問題があった。
【０００９】
さらに、左右のガイドレールは、前後に延びるレール部の側方にガイドレールを取り付けるための取付孔が形成され、レール部の後端にメダル払出装置の支持脚と当接してメダル払出装置の前後方向の位置決めを行う突き当て部が形成されていた。また従来のガイドレールの固定状態を図１１に示すように、ガイドレール９５５は、取付孔にネジ９１８挿通し底板９１３の下面側に打ち込まれたメタルブッシュ（鬼目ナット）９１７に螺合締結させることにより固定されていた。ところが、多数の遊技メダルが貯留されたメダル払出装置はかなりの重量物である一方、左右のガイドレールはそれぞれ２〜３本のネジで底板に固定されているにすぎないため、突き当て部を利用してメダル払出装置を出し入れしているうちに、メタルブッシュ９１７の埋め込み部が損傷してガタが生じ、さらに損傷が進行すると脱落してガイドレールとしての機能を果たせなくなるという問題があった。
【００１０】
本発明は上記のような問題に鑑みて成されたものであり、部品点数および組み立て工数を削減して生産コストを低減させるとともに、遊技機の設置工数をも低減させ、併せてガイドレールの脱落等が生じない長期信頼性の高い箱形遊技機の筐体構造を提供することを目的とする。
【００１１】
【課題を解決するための手段】
上記目的を達成するため、本発明は、前面開口を有して箱状に形成されたキャビネット部材および前面開口を開閉可能に取り付けられた扉部材からなる筐体と、この筐体の内部に設けられて所定の入賞状態に基づいて遊技メダルを払い出すメダル払出装置とを備えた箱形遊技機の筐体構造に関するものである。そのうえで、この筐体のキャビネット部材には、キャビネット部材の内部底面（例えば、実施形態における底板１３の上面）に敷設されてこの内部底面を保護するとともにメダル払出装置を着脱自在に支持する支持板部と、支持板部に一体に繋がって筐体の外側に延出して配設され外部アース部材と係脱可能なアース接続部とを有する金属製のベース部材が取り付けられており、アース接続部を外部アース部材に接続させることでメダル払出装置がベース部材を介して外部アース部材に電気的に接続されるように構成される。
【００１２】
上記のような筐体構造では、キャビネット部材の底部に金属製のベース部材が取り付けられる。ベース部材には筐体の内部に配設されて内部底面を保護するとともにメダル払出装置を着脱自在に支持する支持板部と、筐体の外側に配設されて外部アース部材と係脱可能なアース接続部とが形成されており、アース接続部を外部アース部材に接続させることでメダル払出装置がベース部材を介して外部アース部材に電気的に接続される。このため、保護板、右ガイドレール、左ガイドレール、アース板金など多数の部材を製作して各々ネジ固定していた筐体構造を簡明化し、部品点数および組み立て工数をともに削減することができる。また、筐体外部に配設されたアース接続部を外部アース部材に係合接続させることでベースプレートに支持されたメダル払出装置が接地されるため、遊技機内部の電気的接続構造を簡明化するとともに、この遊技機を遊技施設の遊技島に設置する際のアース接続を容易化することができる。
【００１３】
なお、遊技機側のアース接続部は支持板部の端部がキャビネット部材の外部底面（例えば、実施形態における底板１３の下面）に沿って折り曲げられて形成され、外部アース部材は遊技施設における遊技島の島棚板に張り渡された金属製の保護部材であり、遊技機を遊技島に設置したときにアース接続部が保護部材に電気的に接続されるように構成することが好ましい。
【００１４】
このような構成によれば、遊技機を遊技島に設置するとベース部材が保護部材に電気的に接続される。遊技島の島棚板に張り渡された金属製の保護部材は静電気の蓄積による障害発生を防止するため一般的に地落されており、これにより遊技機を遊技島に設置するだけでベース部材がアース電位に落とされる。従って、従来煩雑とされたマシン設置時のアース配線作業を廃止して設置工数を削減し、また電位的に不安定な状態での遊技機の作動を未然に防止して、短期の設置工事で安定稼働を実現する遊技機を提供することができる。なお、例えば、島棚板の保護板が接地されていなかった場合でも、保護板の任意の１カ所にアース線を接続して地落させれば、棚板上に設置される多数の遊技機を一度にアース電位に落とすことができ、これによりアース配線の工数を大幅に低減できるとともに、以降については上記同様の効果を得ることができる。
【００１５】
また、ベース部材の支持板部に、メダル払出装置をスライド移動可能に案内するガイドレール部を備え、このガイドレール部が支持板部を切り起こし成形することによりベース部材に一体に形成されることが好ましい。このような筐体構造によれば、左右のガイドレールが一枚の支持板部に形成されるため、これらのガイドレールを所定間隔で平行に取り付けるための位置決め手段を設けたり特殊な取付用ジグを用いることなく一定の寸法公差内に収めることができ、左右のガイドレールが支持板部を切り起こし成形して形成されるため、部材点数および組み付け工数を削減して極めて簡明な構成にすることができる。さらに、左右のガイドレールが形成された一体のベース部材を底板に取り付ける構成のため、メダル払出装置の着脱時に作用する負荷をベース部材の取付部全体で分散して受けることができ、かつ左右のガイドレールが分離して脱落することがないためガイドレールの機能を安定して維持させることができる。
【００１６】
なお、ベース部材には基板を支持する基板支持部を有し、基板を基板支持部に取り付けたときに基板のアース回路がベース部材に電気的に接続されるように構成することが好ましく、ベース部材に基板の周囲を取り囲む基板ケース部を形成することも好ましい。前者の構成によれば、基板を固定するための支持構造および基板のアース回路を接地させるためのアース板金を別途製作して取り付ける必要がなく、後者の構成によれば基板ケースを別途製作して取り付ける必要がないため、前述した各筐体構造からさらに部品点数を削減し取付工数を削減した構成にすることができる。
【００１７】
【発明の実施の形態】
以下、本発明の好ましい実施形態について図面を参照しながら説明する。本発明に係る筐体構造を備えた遊技機の代表例として、スロットマシンＳＭを図１および図２に示しており、まず、これらの図面を参照しながらスロットマシンＳＭの全体構成について要約説明する。ここで、図１はスロットマシンＳＭの外観斜視図、図２は上記スロットマシンＳＭの前面扉を取り外した状態で内部構造を示す正面図である。
【００１８】
スロットマシンＳＭは、前面開口を有して箱状のキャビネットボックス２と、この前面開口を覆って開閉可能に取り付けられた前面扉３とからなる筐体１を有し、この筐体１の各部に種々の遊技展開装置を配設して構成される。前面扉３は、キャビネットボックス２および前面扉３の互いの左側縁に配設された上下のヒンジ機構（図示せず）により横開き開閉可能に取り付けられ、常には右側縁に設けられた施錠装置４を利用してキャビネットボックス２に閉鎖施錠された状態で保持される。
【００１９】
キャビネットボックス２の内部は、左右の側板を繋いで固定された棚板１５により大きく上下２段に分けられており、上段には、スロットマシンＳＭの作動を統括的に制御する主制御基板２１が透明樹脂製の基板ケースに納められて背板１４の上部にネジ固定され、円筒外周面に沿って多数の図柄が描かれた三つのリール２２ａ，２２ｂ，２２ｃを回転・停止駆動するリール装置２２が棚板１５の上面に支持されて取り付けられている。下段には、主制御基板２１からの指令信号により入賞状態に応じて遊技メダルの払出を行うメダル払出装置２３、主制御基板２１やリール装置２２、メダル払出装置２３等の各種遊技展開装置に電力を供給する電源基板２４、メダル払出装置２３のメダル貯留部が満杯の状態でさらに遊技メダルが投入されたときにメダル貯留部から溢れ出た遊技メダルを貯留するメダル補助収用箱２５などが取り付けられている。
【００２０】
一方、前面扉３には、メダル投入口３１、スタートレバー３２、リール装置の各リール２２ａ，２２ｂ，２２ｃに対応して設けられた停止ボタン３３ａ，３３ｂ，３３ｃ、左右の上部スピーカ３４，３４および下部スピーカ３５等が取り付けられている。前面扉３の前面中央には、リール装置２２と位置整合して透視窓３７が配設されており、各リール２２ａ，２２ｂ，２２ｃの円筒外周面に沿って描かれた多数の図柄のうち所定範囲（例えば上下３つの図柄の範囲）を遊技機正面から透視可能になっている。前面扉３の下部中央にはメダル払出口３８が設けられるとともに、その下側に前方に突出する受け皿３９が設けられており、メダル払出装置２１から払い出された遊技メダルが、このメダル払出口３８を通って受け皿３９に受け止められ貯留されるようになっている。
【００２１】
キャビネットボックス２に取り付けられた遊技展開装置（２１〜２４等）および前面扉３に取り付けられた遊技展開装置（３１〜３５等）は、図示省略するワイヤーハーネス（電気配線）により相互に接続され、スロットマシンＳＭが遊技可能に構成される。
【００２２】
このように構成されたスロットマシンＳＭでは、遊技者がメダル投入口３１に遊技メダルを投入し、スタートレバー３２を操作すると、主制御基板２１はこのスタートレバー３２からの操作信号に基づいて起動指令信号をリール装置２２に出力し、三つのリール２２ａ，２２ｂ，２２ｃを同時に回転起動させる。遊技者は回転しているリールを任意に選択し、対応する停止ボタン３３ａ，３３ｂ，３３ｃを所望の順序及びタイミングで操作することができ、主制御基板２１はこれらの停止ボタンからの操作信号に応じて停止指令信号をリール装置２２に出力し対応するリールの回転を制動停止させる。
【００２３】
回転していたリール２２ａ，２２ｂ，２２ｃが全て停止すると、主制御基板２１により入賞図柄の判定、すなわち当たりかはずれかの判定が行われる。主制御基板２１は停止後に表示窓３７に表示されている図柄について、投入した遊技メダルの枚数に応じた有効ライン（上・中・下３本の水平ラインおよび左・右２本の斜めライン）上での入賞図柄の判定を行う。そして、有効ライン上の図柄の組み合わせが予め設定された入賞図柄の組み合わせに該当するときには、その入賞状態に応じた払出指令信号がメダル払出装置２３に出力され、メダル払出装置２３から所定枚数の遊技メダルが払い出される。また、このとき上部スピーカ３４，３４および下部スピーカ３５から入賞状態に応じた効果音が発生される。
【００２４】
一方、入賞図柄の判定の結果、有効ライン上の図柄の組み合わせが予め設定された入賞図柄の組み合わせに該当しなかったときには、遊技メダルの払い出しは行われず、投入した遊技メダルがメダル払出装置２３のメダル貯留部に収用される。このように、スロットマシンＳＭで遊技を行う遊技者は、表示された図柄が予め定められた組み合わせに該当しなかったときには投入した遊技メダルを失うが、表示された図柄が予め定められた組み合わせに該当したときには投入した枚数以上の遊技メダルを獲得し得ることとなり、遊技メダルを増やすという興趣を楽しむことができる。
【００２５】
さて、以上のように概要構成されるスロットマシンＳＭにあって、筐体１に本発明に係る筐体構造が用いられている。この筐体構造は主としてキャビネットボックス２の下部の構成に特徴を有するものである。以下では、まず図２を用いてキャビネットボックス２の構成について概要説明し、続いて第１実施例の筐体構造５について詳細に説明する。
【００２６】
キャビネットボックス２は、天板１１、左右の側板１２ａ，１２ｂ、底板１３、背板１４などの壁面部材を箱状に組み立てて構成されており、例えば、パーチクルボードの定尺板材を、切断、孔あけ、溝切り加工等して所定形状に成形し、これにメタルブッシュ（鬼目ナット）の打ち込み等を行って壁面部材を形成した後、各部材１１〜１４を接着剤やネジ等の接合手段により接合して図示する前面開放の箱状に組み立てて構成される。
【００２７】
キャビネットボックス２の左右の側板１２ａ，１２ｂには、略中間の高さ位置にメタルブッシュが打ち込み固定されており、板厚１．２〜１．６ｍｍ程度の冷間圧延鋼板を切断、孔あけおよび曲げ加工して成形した棚板１５が、左右側板のメタルブッシュに各々ネジ固定されて左右の側板１２ａ，１２ｂの間を繋ぐように配設される。また左右の側板１２ａ，１２ｂの前端部には、それぞれ開口前縁に沿って上下に延びる補強金具１６ａ，１６ｂが上記同様のメタルブッシュを利用して取り付けられており、左側の補強金具１６ａにネジ固定されたヒンジ機構を介して前面扉３が横開き開閉可能に取り付けられ、右側の補強金具１６ｂに形成された施錠装置４の係止受け部を利用して前面扉３が閉止保持されるようになっている。
【００２８】
底板１３に、筐体構造５の主要構成部材であるベースプレート５０が装着される。ベースプレート５０は、底板１３にベースプレート５０を取り付ける前の分離状態での斜視図を図３に示すように、全体として矩形平板のパネル状をなし、キャビネットボックス２の内部底面、すなわち底板１３の上面形状に合わせて形成された支持板部５１と、この支持板部５１の前端がコの字状に折り返されて後方に延びるアース接続部５２とを主体として構成され、本実施例では支持板部５１の後端を上方に折り曲げて背板１４に沿って延びる背面折り返し部５３を設けた例を開示している。ベースプレート５０は、薄板金属材料を用いて公知の板金加工手段により加工成形され、例えば、板厚０．８〜１．５ｍｍ程度のステンレス鋼板を切断、孔あけ、曲げ加工等して図示する形状に形成される。
【００２９】
支持板部５１の形状寸法、すなわち支持板部５１の左右幅および奥行きは、底板１３における上面の左右幅および奥行きに合わせて設定されている。また側面視コの字状に折り返されたアース接続部５２の高さ寸法は、支持板部５１を底板上面に敷設したときに、後方に延びるアース接続辺５２ｅの下面が底板１３の下面と同一高さ〜底板下面よりもわずかに下側に位置するように設定されている。
【００３０】
一方、底板１３の下面側には、図５中の矢印ＶＩ−ＶＩに沿ったスロットマシンＳＭの側断面図を図６に示すように、ベースプレート５０の板厚に合わせた切り込み深さで前面開口の開口縁部に沿って左右に延びる接続辺受容部１３ｅがルータ加工によりザグリ形成されている。
【００３１】
このため、支持板部５１を底板１３の上面に載置して後方に押圧し、アース接続部５２の立設辺が底板１３の前端面に当接するまでスライドさせると、アース接続辺５２ｅが接続辺受容部１３ｅに受容されて底板１３を挟み込むように係合し、アース接続辺５２ｅの下面が底板１３の下面と同一面〜底板下面からわずかに下側に突出した高さ位置に配設される。
【００３２】
ここで、詳細図示は省略するが、アース接続辺５２ｅの後端部（板材の端部）は、上下のエッジ部が押しつぶし加工されて先端先細のテーパ状に形成されており、端面エッジの引っかかりを防止してベースプレート５０の装着作業を容易化するとともに、スロットマシンＳＭを遊技島に設置する際にアース接続辺５２ｅが島棚板の保護板（後述する）と滑らかに係合し得るようになっている。なお、アース接続辺５２ｅの後端部をわずかに斜め上方に折り曲げるとともに（あるいはさらに折り返してクリップ状に形成するとともに）、底板下面の対応位置に深めの受容溝を形成し、上記後端部を溝内に収容するように構成してもよい。
【００３３】
また、アース接続部５２の立設辺が底板１３の前端面に当接するまでベースプレート５０をスライドさせると、キャビネットボックス２の内部では、支持板部５１の後部に立設された背面折り返し部５３が背板１４の下部内面に当接して係合する。前述したように支持板部５１の形状寸法は底板１３の上面の形状寸法に合わせて設定されており、このようにベースプレート５０が底板上に配設されると、ベースプレート５０は、前方のアース接続部５２および後方の背面折り返し部５３によって前後方向に位置決めされ、支持板部５１の左右端面によって左右方向に位置決めされる。支持板部５１には図示省略するネジ挿通孔が複数穿設される一方、底板１３にはネジ挿通孔に対応して複数のメタルブッシュが打ち込み固定されており、位置決めにより位置整合したネジ挿通孔とメタルブッシュに対して支持板部５１の上方からネジを挿通し螺合締結することによってベースプレート５０が底板１３に固定される。
【００３４】
こうしてベースプレート５０が取り付けられると、底板上面に敷設された支持板部５１、および底板１３の前端部に配設されたアース接続部５２によって、底板上面のほぼ全域と開口前縁部とが覆われ、底板各部への部材の衝突や金属片によるひっかき等から底板１３が保護される。
【００３５】
底板１３の上面に敷設された支持板部５１の中央には、メダル払出装置２３を支持する支持部５５が形成され、その右側には、支持板部５１を上下に連通する排出開口５４が形成されている。排出開口５４は、底板１３を上下に貫通して形成されたメダル自動回収装置用のメダル排出口（不図示）と位置整合して形成されており、後述するメダル払出装置のオーバーフロー口から落下してくる遊技メダルを挿通させて、遊技島側のメダル自動回収装置に排出可能になっている。メダル払出装置の支持部５５は、支持板部５１に形成された左右１対のガイドレール部５５Ｌ，５５Ｒにより形成される。
【００３６】
ここで、メダル払出装置の支持部５５について説明するにあたり、メダル払出装置２３の構成について若干の補足説明をすると、メダル払出装置２３は、装置上部に設けられ多数の遊技メダルを貯留可能なメダル貯留部（その形態から「ホッパ部」とも称される）２３ｈと、装置下部に設けられてメダル貯留部２３ｈに貯留された遊技メダルを抜き出して払い出す払出機構部２３ｍとからなる。
【００３７】
メダル貯留部２３ｈは上面開放の角形ロート状をなし、例えばＡＢＳ樹脂などの樹脂材料を用いて射出成型等の成形手段で形成され、払出機構部２３ｍのフレーム上部にネジ固定される。メダル貯留部２３ｈの底面は緩く傾斜して形成されるとともに傾斜下端部に払出機構部２３ｍと繋がる連通開口が設けられ、貯留された遊技メダルが払出機構部２３ｍに導かれるようになっている。メダル貯留部２３ｈの右側の立設壁面は一部切り欠かれてオーバーフロー口が形成されており、メダル貯留部２３ｈが満杯状態でさらに遊技メダルが投入されたときに、溢れ出る遊技メダルがオーバーフロー口を通ってメダル補助収用箱２５に流下するようになっている。なお、メダル補助収用箱２５の底面には、いわゆる自動メダル回収装置用の開口部が形成されているが、この回収装置を用いない場合にはメダル補助収用箱２５の底面上に開口部を塞ぐ仕切板が敷設される。
【００３８】
払出機構部２３ｍは、上記連通開口の下側に位置して貯留された遊技メダルを抜き出して前方に打ち出す払出円盤およびその回転駆動機構、打ち出された遊技メダルを検出するメダル検出器等を備え、例えば冷間圧延鋼板等の金属材料を板金加工して組み立てた箱型フレームの内部に回転駆動機構等の構成部品が組み付けられて構成されている。これにより箱型フレームがメダル払出装置の構成部品のフレームグランドを形成して電位を安定させるとともに、電磁波などの外来ノイズから各構成部品を保護するようになっている。
【００３９】
メダル払出装置２３の底部、すなわち払出機構部２３ｍにおけるフレームの底部では、このフレームを構成する左右の壁面部材の下端部が底辺の高さ位置に合わせてそれぞれ左右外方に水平に折り曲げられ、断面視Ｌ字状の支持脚２３Ｌ，２３Ｒが前後に延びて形成されている。メダル払出装置２３はこの左右の支持脚２３Ｌ，２３Ｒによって支持部５５に支持される。
【００４０】
メダル払出装置の支持部５５には、上記のように形成された左右の支持脚２３Ｌ，２３Ｒを、前後方向にスライド移動可能に支持するガイドレール部５５Ｌ，５５Ｒが設けられている。ガイドレール部５５Ｌ，５５Ｒは、メダル払出装置２３の配設位置および支持脚２３Ｌ，２３Ｒの形状寸法に合わせて支持板部５１を切り起こし成形することによって形成されており、図３中の矢印ＩＶ−ＩＶに沿った断面図（左ガイドレール部５５Ｌの断面図）を図４に示すように、左右外方に突出する支持脚部を外側から挟み込むように対向するコの字状に形成されている。
【００４１】
ガイドレール部５５Ｌ，５５Ｒの前端側は、前方に開放されて左右の支持脚２３Ｌ，２３Ｒを受容可能になっており、受容した支持脚を上下および左右から挟持するように支持板部５１上に係合支持して、メダル払出装置２３を前後方向にのみスライド移動可能に支持する。一方、ガイドレール部５５Ｌ，５５Ｒの後端側は、後方の支持板部５１が切り起こされてストッパ部５５ｓ，５５ｓが上方に突出形成されてレールが閉止されており、左右の支持脚２３Ｌ，２３Ｒの後端縁部および箱型フレームの後部壁面と当接してメダル払出装置２３を前後方向に位置決め可能になっている（図６中の部分拡大図を参照）。
【００４２】
このため、メダル払出装置２３を支持板部５１の前縁部に載置し、左右の支持脚２３Ｌ，２３Ｒをガイドレール部５５Ｌ，５５Ｒの前端に位置合わせして係合させ、そのまま後端のストッパ部５５ｓ，５５ｓに当接するまでメダル払出装置２３を後方にスライド移動させることで、メダル払出装置２３がキャビネットボックス内の所定位置に位置決め支持され、同時にメダル払出装置２３のフレームグランドがベースプレート５０に電気的に接続される。また、底板１３の前縁部がアース接続部５２によって覆われ、支持脚２３Ｌ，２３Ｒの摺動面を含む底板上面の略全域が支持板部５１により覆われているため、メダル払出装置２３の着脱作業によって底板１３が損傷を受けるようなことがない。
【００４３】
また、開口前縁を保護する保護板および左右のガイドレール部５５Ｌ，５５Ｒを支持板部５１に一体に形成しているため、部品点数や組み付け工数を削減するとともに、左右ガイドレール部５５Ｌ，５５Ｒの位置や平行度を板金加工の一般的な寸法公差内に収めることができる。さらに、アース接続部５２が底板１３の前端縁部と係合し、背面折り返し部５３が背板１４と係合した状態で、複数のネジによりネジ固定される構成のため、メダル払出装置２３の着脱時に作用する負荷をベースプレート５０の係合部全体で分散支持することができ、かつ左右のガイドレールが脱落することもないため、強度が高くガイドレールの機能を長期にわたって安定して維持させることができる。スロットマシンＳＭは、主制御基板２１やリール装置２２など、他の必要な遊技展開装置を取り付けることにより完成され、所定の動作確認が行われた後出荷される。
【００４４】
さて、以上のように構成され出荷されたスロットマシンＳＭは、遊技施設に搬入されて遊技島に設置される。遊技島に設置されたスロットマシンの正面図を図５に示し、図５中の矢印ＶＩ−ＶＩに沿った側断面図を図６に示しており、以下、これらの図面を参照しながら本筐体構造５におけるベースプレート５０の接地状況について説明する。
【００４５】
遊技島１００は、基本的には、左右に水平に延びて配設され複数台のスロットマシンを支持可能なテーブル状の島棚板１０１と、この島棚板１０１の上方にスロットマシンの高さ寸法に合わせて島棚板と平行に延びる島上板（不図示）、島棚板１０１の下部に左右に延びて張り渡された幕板１０３を主体とし、島棚板と島上板とを繋ぐ枠板によってスロットマシンの外周を取りまく枠状に形成される。隣接するスロットマシンの間および上部には化粧面板が張られて島上板と枠板とが目隠しされるとともに、隣接するスロットマシン間にはメダル貸し機１０４が配置され、スロットマシンの上方にはフィーバーランプと称される報知ランプ１０５が設けられている。
【００４６】
島棚板１０１は、通常３０〜４０ｋｇ程度の重量があるスロットマシンを安定支持するため比較的厚めの積層合板が用いられ、スロットマシンＳＭを着脱交換する際の衝突やひっかき等による損壊や摩滅を防止するため、板材の前縁周辺にはアルミニウムやステンレス等の金属製の保護板１０１ｅが張られている。また保護板１０１ｅに静電気が蓄積して放電しスロットマシンＳＭの作動に悪影響を与えないように、保護板１０１ｅと遊技島１００のアース端子とが図示省略するアース線で接続され保護板１０１ｅがアース電位に地落されている。
【００４７】
なお、島棚板１０１の後部には、板材が露出して釘打ち可能な固定領域が形成されるとともに、スロットマシンの底板１３に形成されたメダル排出口と位置整合して島棚板１０１を上下に貫通するメダル回収通路１０６が形成されており、スロットマシンＳＭから排出された遊技メダルを、このメダル回収通路を通して落下させ下方（幕板１０３の後方）に配設された自動メダル回収装置に回収させるようになっている。
【００４８】
このような遊技島１００にスロットマシンＳＭを設置する際には、島棚板１０１の前端部にスロットマシンＳＭの後端部を載置して一旦その荷重を支持させ、左右のメダル貸し機１０４，１０４の間に開口する枠部と位置合わせしてスロットマシンＳＭを後方に押圧し、スロットマシンＳＭをスライド移動させて島棚板１０１の所定位置に支持させる。
【００４９】
ここで、前述したように、底板１３の下面側に折り返されたアース接続辺５２ｅはその下面が底板１３の下面と同一高さ〜底板下面よりもわずかに下側に位置して配設され、アース接続辺５２ｅの後端部はエッジ部が押しつぶし加工されて先端先細のテーパ状に形成されている。このため、上記のようにスロットマシンＳＭを島棚板１０１上で後方にスライド移動させたときに、ベースプレート５０のアース接続辺５２ｅが島棚板１０１の前縁部に張り渡された保護板１０１ｅと滑らかに且つ確実に係合する。
【００５０】
これにより、ベースプレート５０が保護板１０１ｅに電気的に接続され、支持板部５１に支持されたメダル払出装置２３がベースプレート５０を介して保護板１０１ｅに電気的に接続されてアース電位に落される。スロットマシンＳＭを設置する作業者は、前面扉３を開放してスロットマシンＳＭの配設位置や角度を微調整し、支持板部５１および底板１３に上下連通して形成された島固定用釘孔（不図示）に釘を挿入して島棚板１０１に打ち込むことにより、スロットマシンＳＭが遊技島に固定設置される。
【００５１】
従って、本構成の筐体構造５によれば、従来煩雑とされたマシン設置時のアース配線作業を廃止して設置工数を削減することができ、またアース接続を行わない不安定な状態での遊技機の作動を未然に防止して、短期の設置工事で安定稼働を実現可能な遊技機を提供することができる。
【００５２】
なお、詳細図示および説明を省略したが、支持板部５１に電源基盤２４の支持部を形成し、あるいは電源基盤を収容保持する基板ケースの支持部を形成してこれらを取り付けることにより、電源基板のアース回路や基板ケース全体をメダル払出装置２３と同様に、スロットマシンの設置と同時にアース接続させる構成とすることができる。
【００５３】
また、ガイドレール部５５Ｌ，５５Ｒは支持脚２３Ｌ，２３Ｒの全長にわたるものでなくてもよく、例えばレールの後端部をストッパ部５５ｓ，５５ｓと一定間隔離して形成してもよい。このような構成によりストッパ部５５ｓの耐力を向上させることができる。また左右のガイドレール部５５Ｌ，５５Ｒの前端側に支持脚２３Ｌ，２３Ｒを案内するテーパ状の導入部を形成すること、例えば、ガイドレールの前方の支持板部５１を切り起こして上方に突出する導入片を形成し、あるいはレール前端部に平面視三角形の薄板を溶接してその端面によりテーパ状の導入面を形成する等により、左右の支持脚部をレール内に案内するように構成することも好ましい実施形態である。
【００５４】
次に、第２実施例の筐体構造６について、図７〜図１０の各図を参照しながら説明する。ここで、図７はこの筐体構造６に用いられるベースプレート６０の全体構成を示す斜視図、図８はベースプレート６０をキャビネットボックス２に取り付けた状態における基板支持ケース周辺の正面図（部分断面図）、図９は左ガイドレール６５Ｌの平面図（ａ）および右側面図（ｂ）（図７におけるＩＸ（ａ）矢視の平面図およびＩＸ（ｂ）矢視の側面図）、図１０は基板支持ケース周辺の背面図（図７におけるＸ方向に見た背面図）である。なお、本実施例の筐体構造６におけるキャビネットボックス２、アース接続部５２、背面折り返し部５３等の構成は前述した筐体構造５と同様であるため、同様の構成部分に同一番号を付して重複説明を省略する。
【００５５】
本実施例の筐体構造６はベースプレート６０を主体として構成される。ベースプレート６０は、底板１３の上面寸法に合わせて形成された支持板部６１と、この支持板部６１の前端がコの字状に後方に折り返されて形成されたアース接続部５２と、支持板部６１の後端が背板１４に沿って上方に折り曲げ形成された背面折り返し部５３とを備え、全体としては前述したベースプレート５０と同様の構成を有し、前述したベースプレート５０と同様の金属材料を用いて同様の加工成形手段で形成される。すなわち、ベースプレート６０は全体としては前述したベースプレート５０と略同様の構成を有している。
【００５６】
一方、本実施例のベースプレート６０では、板金製のメダル補助収容箱２５´がスライドレール６４により前後にスライド移動および着脱可能に係合支持され、また左右のガイドレール６５Ｌ，６５Ｒが溶接等の固着手段により支持板部６１に固定され、さらに電源基盤２４の基板支持ケース６６が支持板部６１から曲げ起こされて一体に形成されている点で前述のベースプレート５０と相違している。
【００５７】
支持板部６１の右側には、支持板部６１を上下に連通して排出開口５４（図３を参照）が形成され、その左右にメダル補助収容箱２５´の左右の脚部を前後にスライド移動可能に支持するスライドレール６４が形成されている。これによりメダル補助収容箱２５´が図７中に二点鎖線で付記するように前後にスライド移動および着脱可能に係合支持される。そして、この収容箱の底面に敷設された仕切壁を取り外したときには、メダル補助収容箱２５´があたかも回収ダクトのように機能し、メダル払出装置のオーバーフロー口から落下してくる遊技メダルを集合させて流下させ、遊技島１００のメダル回収通路１０６を通してメダル自動回収装置に排出可能になっている。
【００５８】
支持板部６１の中央部には、メダル払出装置２３を支持する支持部６５が形成され、メダル払出装置の左右の支持脚２３Ｌ，２３Ｒを、前後方向にスライド移動可能に支持するガイドレール６５Ｌ，６５Ｒが設けられている。本実施例におけるガイドレール６５Ｌ，６５Ｒは、図９（ａ）に左側のガイドレール６５Ｌの平面図を示し図９（ｂ）に右側面図を示すように、ベースプレート６０とは別体に形成されており、両レールが対向するクランク状に形成されたうえ、スポット溶接やリベット止め等の固着手段により左右の支持脚部２３Ｌ，２３Ｒを外側および上方から挟み込むように支持板部６１に固定される。
【００５９】
左右の各ガイドレール６５Ｌ，６５Ｒの前端側は、それぞれ支持脚２３Ｌ，２３Ｒを受容可能に開放され、その前方には斜め外方に広がる導入部６５ｄ，６５ｄが形成されている。このため、メダル払出装置２３を装着するときに、厳密に位置合わせをしなくても左右の支持脚２３Ｌ，２３Ｒが導入部６５ｄ，６５ｄに案内されてスムースにレール内に導かれ、以降レールに沿って前後方向にのみスライド移動可能に支持される。ガイドレール６５Ｌ，６５Ｒの後端側は、ストッパ部６５ｓ，６５ｓが曲げ起こされて閉止されており、左右の支持脚２３Ｌ，２３Ｒの後端縁部および箱型フレームの後部壁面と当接してメダル払出装置２３を前後方向に位置決め可能になっている。
【００６０】
このため、メダル払出装置２３を支持板部６１の前縁部に載置し、左右の支持脚２３Ｌ，２３Ｒを導入部６５ｄ，６５ｄに案内させてガイドレール６５Ｌ，６５Ｒに係合させ、後端のストッパ部６５ｓ，６５ｓに当接するまでメダル払出装置２３を後方にスライド移動させることで、メダル払出装置２３がキャビネットボックス内の所定位置に位置決め支持され、同時にメダル払出装置２３のフレームグランドがベースプレート６０に電気的に接続される。
【００６１】
支持板部６１の左後方角部に、電源基板２４を収容保持する基板支持ケース６６が形成されている。基板支持ケース６６は、支持板部６１の後部左辺が上方に曲げ起こされてキャビネットボックス１２の左側板１２ａと平行に延びる側面パネル部６６ａ、この側面パネル部６６ａの上部が左側方に水平に折り曲げられた上面パネル部６６ｂ、上面パネル部６６ｂの左端が左側板１２ａの内面位置に合わせて上方に折り曲げ形成された固定フランジ部６６ｃ、上面パネル部にネジ固定された取っ手６７、このように逆Ｌ字状に曲げ成型された基板支持ケースの前面を覆って取り付けられる前面パネル６８、基板支持ケースの背面を覆って取り付けられる背面パネル６９等から構成される。
【００６２】
側面パネル部６６ａには、図８に示すように電源基板２４を固定支持するための基板支持スタッド６６ｄが、カシメ圧着または溶接等の接合手段で４カ所固着されている。一方、電源基板２４には基板支持スタッド６６ｄと位置整合して表裏を貫通する基板固定孔が４カ所形成され、このうち一カ所には電源基板２４のアース回路と繋がるアース端子が基板支持スタッド側のパターン面に形成されている。このため、電源基板２４を基板支持スタッド６６ｄに支持させてネジ固定したときに、電源基板２４のアース回路が基板支持スタッド６６ｄを介してベースプレート６０に接続される。そして、この電源基板２４のアース回路が接続された主制御基板２１や電源モニター基板、さらには主制御基板２１に接続されたサブ制御基板、リール装置２２等の遊技展開装置全体のアース回路がベースプレート６０に接続される。
【００６３】
上面パネル部６６ｂには、電源基板２４に実装されたコネクタと位置整合してコネクタ孔が複数形成されており、各種コネクタケーブル（例えば、遊技島１００から電力供給を受けるための電源ケーブルや、主制御基板２１への電力および信号送受信（Ｉ／Ｏ）ケーブル、メダル払出装置２３への電力および信号送受信ケーブルなど）が基板支持ケース６６の外部上方から着脱可能になっている。
【００６４】
また上面パネル部６６ｂには、把持可能な取っ手６７が取り付けられており、電源トランスや大型コンデンサ等が基板実装されて比較的重量のある基板支持ケース６６の上部を持ち上げ支持することで、ベースプレート６０をバランスよく取り扱うことができ、作業性を向上させた構成になっている。
【００６５】
上面パネル部左端の固定フランジ部６６ｃは、ベースプレート収容時における左側板１２ａの内面位置に合わせて上方に折り曲げ形成されるとともに、固定用のネジを挿通させるネジ挿通孔が穿設されており、ベースプレート６０を底板１３の上面に敷設したときに側板に打ち込まれたメタルブッシュと位置整合して基板ケース上部をネジ固定可能になっている。
【００６６】
また、側面パネル部６６ａおよび上面パネル部６６ｂには、前面パネル６８および背面パネル６９を固定支持するためのタブ状のパネル受け６６ｆが、前後にそれぞれ複数カ所設けられている。各パネル受け６６ｆには、例えばバーリング加工により雌ねじ部が形成されており、このように形成されたパネル受け６６ｆに前面パネル６８、背面パネル６９を支持させてネジ固定することにより、前後のパネルが支持固定されてボックス状の基板支持ケース６６が形成されるとともに、基板支持ケース全体がベースプレート６０に電気的にも接続され、電源基板２４の外周を覆うシールドケースが構成される。なお、前面パネル６８前端のパネル面は前方に横開き開閉可能になっており、このパネル面の背後に電源スイッチや、回収スイッチ、設定キースイッチ、各種表示ＬＥＤなどが設けられている。
【００６７】
さて、このように構成されたベースプレート６０は、前述したベースプレート５０と同様にキャビネットボックス２の前面開口から装着される。すなわち、支持板部６１を底板１３の上面に載置して後方に押圧し、アース接続部５２の立設辺が底板１３の前端面に当接するまでスライドさせる。このとき、アース接続辺５２ｅが接続辺受容部１３ｅに受容されて底板１３を挟み込むように係合し、アース接続辺５２ｅの下面が底板１３の下面と同一面〜底板下面からわずかに下側に突出した高さ位置に配設される。
【００６８】
前述したように、アース接続辺５２ｅの後端部は上下のエッジ部が押しつぶし加工されて先端先細のテーパ状に形成されており、端面エッジの引っかかりを防止してベースプレート６０の装着作業を容易化するとともに、スロットマシンＳＭを遊技島に設置する際にアース接続辺５２ｅが島棚板の保護板１０１ｅと滑らかに係合して電気的に接続されるようになっている。
【００６９】
また、このとき、キャビネットボックス２の内部では、支持板部６１の後部に立設された背面折り返し部５３が背板１４の下部内面に当接して係合する。支持板部６１の外形寸法は底板１３の上面の形状寸法に合わせて設定されており、ベースプレート６０を装着すると、前方のアース接続部５２および後方の背面折り返し部５３によって前後方向に位置決めされ、支持板部６１の左右端面によって左右方向に位置決めされる。
【００７０】
そして、支持板部６１に形成されたネジ挿通孔を通して底板１３側のメタルブッシュにネジを螺合締結することで支持板部６１が底板１３に固定され、基板支持ケースの固定フランジ部６６ｃに形成されネジ挿通孔を通して側板１２ａ側のメタルブッシュにネジを螺合締結することで基板ケース６６の上部が側板１２ｂに固定され、これらによってベースプレート６０がキャビネットボックス２に固定保持される。
【００７１】
こうしてベースプレート６０が取り付けられると、底板上面に敷設された支持板部６１、および底板１３の前端部に配設されたアース接続部５２によって、底板１３の上面全体と開口前縁部とが覆われる。ベースプレート６０では、開口前縁を含めて支持脚２３Ｌ，２３Ｒが移動可能な底板上面の全域がベースプレート６０により覆われているため、メダル払出装置２３の着脱作業によって底板１３が損傷を受けるようなことがない。
【００７２】
支持板部６１の中央に設けられたメダル払出装置の支持部６５には、導入部６５ｄを備えたガイドレール６５Ｌ，６５Ｒが支持板部６１に一体的に固着されている。このため、メダル払出装置２３を支持板部６１の前縁部に載置し、左右の支持脚２３Ｌ，２３Ｒを導入部６５ｄ，６５ｄに案内させてガイドレール６５Ｌ，６５Ｒに係合させ、後端のストッパ部６５ｓ，６５ｓに当接するまでメダル払出装置２３を後方にスライド移動させることで、メダル払出装置２３がキャビネットボックス内の所定位置に位置決め支持され、同時にメダル払出装置２３のフレームグランドがベースプレート６０に電気的に接続される。
【００７３】
スロットマシンは、主制御基板２１やリール装置２２など、他の必要な遊技展開装置を取り付けることにより完成され、所定の動作確認が行われた後出荷される。スロットマシンの遊技島１００への設置作業は前述したと同様に行われ、島棚板１０１の前端部にスロットマシンを載置して支持させ、スロットマシンを後方に押圧してスライド移動させることで島棚板１０１の所定位置に支持される。このとき、ベースプレート６０のアース接続辺５２ｅが島棚板の保護板１０１ｅと滑らかに且つ確実に係合し、ベースプレート６０が保護板１０１ｅに電気的に接続される。
【００７４】
これにより、支持板部６１に支持されたメダル払出装置２３、電源基板２４ならびに基板支持ケース６６、メダル補助収容箱２５´がベースプレート６０および保護板１０１ｅを介してアース電位に落され、さらに電源基板２４のアース回路を介して主制御基板２１、電源モニター基板、サブ制御基板、リール装置２２等の遊技展開装置全体がアース電位に地落される。設置作業者は、前面扉３を開放してスロットマシンの配設位置や角度を微調整し、支持板部６１および底板１３に上下連通して形成された島固定用釘孔（不図示）に釘を挿入して島棚板１０１に打ち込むことにより、スロットマシンが遊技島に固定設置される。
【００７５】
従って、本構成の筐体構造６によれば、従来煩雑とされたマシン設置時のアース配線作業を廃止して設置工数を削減することができ、アース接続を行わない不安定な状態での遊技機の作動を未然に防止して、短期の設置工事で安定稼働を実現可能な遊技機を提供することができる。
【００７６】
また、開口前縁を保護する保護板および左右のガイドレール６５Ｌ，６５Ｒを支持板部６１に一体に形成しているため、組み付け工数を削減するとともに、左右ガイドレール６５Ｌ，６５Ｒの位置や平行度を板金加工の一般的な寸法公差内に収めることができる。さらに、アース接続部５２が底板１３の前端縁部と係合し、背面折り返し部５３が背板１４と係合した状態で、複数のネジによりネジ固定される構成のため、メダル払出装置２３の着脱時に作用する負荷をベースプレートの係合部全体で分散支持することができ、耐力が強くガイドレールの機能を長期にわたって安定して維持させることができる。
【００７７】
なお、以上説明した各実施例では、支持板部５１，６１の前端部を下向きに折り曲げてキャビネットボックス２の前面開口から下方に延出し、アース接続辺５２ｅを底板１３の下面に沿って形成した例を示したが、アース接続部は遊技島側の外部アース部材と係脱可能であればよく、その形態は適宜変更することができる。例えば、支持板部５１，６１の左右側縁に下方に突出する舌片状のアース接続部を折り曲げ形成するとともに、底板１３にこのアース接続部を挿通させるスリット状の貫通孔を形成し、底板の下面側に突出させたうえで突出した端部を底面に沿って折り曲げてアース接続辺を形成してもよい。また遊技島１００の後部にスロットマシンの後端位置を位置決めする金属製のアングル部材がある場合や、スロットマシンの左右にガイド用の金属レールがある場合には、これらに合わせて（例えば、底板の後部または側部に）アース接続辺を配設しアース接続させるように構成してもよい。
【００７８】
また、実施例では本発明を適用した遊技機の一例としてスロットマシンを示したが、本発明は係る形態の遊技機に限定されるものではなく、キャビネット部材および扉部材からなる筐体の内部にメダル払出装置を有する遊技機であれば、例えばアーケードゲーム機のような他の種類の遊技機であっても同様に適用し、同様の効果を得ることができる。
【００７９】
【発明の効果】
以上説明したように、本発明では箱状のキャビネット部材および開閉可能な扉部材からなる筐体の内部にメダル払出装置を備えた箱形遊技機において、キャビネット部材には、キャビネット部材の内部底面に敷設されて内部底面を保護するとともにメダル払出装置を着脱自在に支持する支持板部と、支持板部に一体に繋がって筐体の外側に延出して配設され外部アース部材と係脱可能なアース接続部とを有する金属製のベース部材が取り付けられており、アース接続部を外部アース部材に接続させることでメダル払出装置がベース部材を介して外部アース部材に電気的に接続される。このため、従来、メダル払出装置を固定およびアース接続するために多数の部材を製作しネジ固定していた筐体の内部構造を簡明化し、部品点数および組み立て工数をともに削減することができる。また、筐体外部に配設されたアース接続部を外部アース部材に係合接続させることでメダル払出装置が接地されるため、遊技機を設置する際のアース接続を容易化して設置工数を削減することができる。
【００８０】
また、ベース部材における支持板部の端部をキャビネット部材の外部底面に沿って折り曲げることでアース接続部を形成し、遊技機を遊技島に設置したときにアース接続部が遊技島側のアース部材である保護部材に電気的に接続されるように構成する。これにより、従来煩雑とされたマシン設置時のアース配線作業を廃止または低減して設置工数を削減し、また電位的に不安定な状態での遊技機の作動を未然に防止して、短期の設置工事で安定稼働を実現可能な遊技機を提供することができる。
【００８１】
また、ベース部材の支持板部に、メダル払出装置をスライド移動可能に案内するガイドレール部を、支持板部を切り起こし成形することによりベース部材に一体に形成する。これにより、ガイドレール取着のための位置決め手段を設けたり特殊な取付用ジグを用いることなく一定の寸法公差内に収めることができ、左右のガイドレールが支持板部を切り起こし成形して形成されるため、部材点数および組み付け工数を削減して極めて簡明な構成にすることができる。さらに、ガイドレールが形成された一体のベース部材を底板に取り付ける構成のため、メダル払出装置の着脱時に作用する負荷をベース部材の取付部全体で分散して受けることができ、かつ左右のガイドレールが脱落することがないためガイドレールの機能を安定して維持させることができる。
【００８２】
なお、ベース部材に基板を支持する基板支持板部を設け、基板を基板支持板部に取り付けたときに基板のアース回路がベース部材に電気的に接続されるように構成することが好ましく、ベース部材に基板の周囲を取り囲む基板ケース部を形成することも好ましい。前者の構成によれば、基板を固定するための支持構造および基板のアース回路を接地させるためのアース板金を別途製作して取り付ける必要がなく、後者の構成によれば基板ケースを別途製作して取り付ける必要がないため、上記各筐体構造からさらに部品点数および取付工数を削減することができる。
【００８３】
従って、以上のような各筐体構造によれば、部品点数および組み立て工数を削減して生産コストを低減させるとともに、遊技機の設置工数をも低減させることができ、さらにガイドレールの脱落等が生じない長期信頼性の高い箱形遊技機の筐体構造を提供することができる。
【図面の簡単な説明】
【図１】本発明に係る筐体構造を備えた遊技機の一例として示すスロットマシンの外観斜視図である。
【図２】上記スロットマシンにおける前面扉を取り外した状態を示す正面図である。
【図３】第１実施例の筐体構造に用いられるベースプレートの斜視図である。
【図４】図３中の矢印ＩＶ−ＩＶに沿った断面図である。
【図５】遊技島に設置された状態のスロットマシンの正面図である。
【図６】図５中の矢印ＶＩ−ＶＩに沿った側断面図である。
【図７】第２実施例の筐体構造に用いられるベースプレートの斜視図である。
【図８】上記ベースプレートをキャビネットボックスに取り付けた状態における基板支持ケース周辺の正面図（図７におけるＶＩＩＩ方向に見た正面図）である。
【図９】第２実施例の筐体構造における左側のガイドレールを示す図面であって図（ａ）はガイドレールの平面図（図７におけるＩＸ（ａ）矢視の平面図）、図（ｂ）はガイドレールの右側面図（図７におけるＩＸ（ｂ）矢視の側面図）である。
【図１０】第２実施例の筐体構造における基板支持ケース周辺の背面図（図７におけるＸ方向に見た背面図）である。
【図１１】従来の箱型遊技機におけるガイドレールの取付状態を示す側断面図である。
【符号の説明】
ＳＭ  スロットマシン
１  筐体
２  キャビネットボックス
３  前面扉
４  施錠装置
５  筐体構造（第１実施例）
６  筐体構造（第２実施例）
１１  天板
１２ａ  左側板
１２ｂ  右側板
１３  底板（１３ｅ  接続辺受容部）
１４  背板
１５  棚板
１６ａ  左補強金具
１６ｂ  右補強金具
２１  主制御基板
２２  リール装置（２２ａ，２２ｂ，２２ｃ  リール）
２３  メダル払出装置（２３ｈ  メダル貯留部、２３ｍ  払出機構部、２３Ｌ，２３Ｒ  左右の支持脚）
２４  電源基板
２５，２５´  メダル補助収用箱
３１  メダル投入口
３２  スタートレバー
３３ａ，３３ｂ，３３ｃ  停止ボタン
３４  上部スピーカ
３５  下部スピーカ
３７  透視窓
３８  メダル払出口
３９  受け皿
５０  ベースプレート
５１  支持板部
５２  アース接続部（５２ｅ  アース接続辺）
５３  背面折り返し部
５４  排出開口
５５  メダル払出装置の支持部
５５Ｌ，５５Ｒ  左右のガイドレール部
５５ｓ  ストッパ部
６０  ベースプレート
６１  支持板部
６４  スライドレール
６５  メダル払出装置の支持部
６５Ｌ，６５Ｒ  左右のガイドレール
６５ｄ  導入部
６５ｓ  ストッパ部
６６  基板ケース（６６ａ  側面パネル部、６６ｂ  上面パネル部、６６ｃ  固定フランジ部、６６ｄ  基板支持スタッド、６６ｆ  パネル受け）
６７  把持部
６８  前面パネル
６９  背面パネル
１００  遊技島
１０１  島棚板（１０１ｅ  保護板）
１０３  幕板
１０４  メダル貸し機
１０５  報知ランプ
１０６  メダル回収通路
９１３  底板
９１７  メタルブッシュ（鬼目ナット）
９１８  ネジ
９５５  ガイドレール
【図１】
2004283202.tif 000003
【図２】
2004283202.tif 000004
【図３】
2004283202.tif 000005
【図４】
2004283202.tif 000006
【図５】
2004283202.tif 000007
【図６】
2004283202.tif 000008
【図７】
2004283202.tif 000009
【図８】
2004283202.tif 000010
【図９】
2004283202.tif 000011
【図１０】
2004283202.tif 000012
【図１１】
2004283202.tif 000013